【手続補正書】
【提出日】平成26年8月14日(2014.8.14)
【手続補正１】
【補正対象書類名】特許請求の範囲
【補正対象項目名】全文
【補正方法】変更
【補正の内容】
【特許請求の範囲】
【請求項１】
腹膜透析療法を行うためのシステムであって、
該システムは、
少なくとも１つの透析液ポンプと、
制御ユニットと
を備え、
該制御ユニットは、複数の腹膜透析サイクルを行うために該少なくとも１つの透析液ポンプとともに動作可能であり、該腹膜透析サイクルは、充填段階、停留段階、および排出段階を含み、該制御ユニットは、
（ｉ）最大腹膜容量が、複数の患者サイクルの該停留段階のうちの任意のものの後に超過されることを回避すること、
（ｉｉ）処方通りの該充填段階の透析液容量の総計が、患者に送達されることを確実にすることと、
（ｉｉｉ）該排出段階のうちの１つの後に該患者に残された残留容量によって（ｉ）が次のサイクル中に違反されると判定される場合に、（ｉｉ）が満たされるように、該次のサイクルの該充填段階の透析液容量の量を低減し、追加のサイクルを該腹膜透析療法に追加することと
を行うように構成される、システム。
【請求項２】
第１のサイクルに対して、（ｉ）を満たすことは、処方充填容量に１サイクル当たりの期待限外濾過容量を加えたものが、前記最大腹膜容量よりも少ないことを確実にすることを含む、請求項１に記載の腹膜透析療法を行うためのシステム。
【請求項３】
（ｉ）を満たすことは、充填容量に１サイクル当たりの期待限外濾過容量を加え、さらに、前の排出段階からの流体残余の残留容量を加えたものが、前記最大腹膜容量よりも少ないことを確実にすることを含む、請求項１に記載の腹膜透析療法を行うためのシステム。
【請求項４】
前記期待限外濾過容量は、処方通りの前記充填段階の前記透析液容量のある割合である、請求項３に記載の腹膜透析療法を行うためのシステム。
【請求項５】
（ｉｉｉ）における前記制御ユニットは、残りの前記充填段階の各々に対する前記透析液容量の量を低減するように構成される、請求項１に記載の腹膜透析療法を行うためのシステム。
【請求項６】
（ｉｉｉ）における前記制御ユニットは、残りの前記充填段階の各々に対する前記透析液容量の量を同じ量だけ低減するように構成される、請求項１に記載の腹膜透析療法を行うためのシステム。
【請求項７】
（ｉｉｉ）における前記制御ユニットは、残りの前記充填段階の各々に対する前記透析液容量の量をある量まで低減するように構成され、該ある量は、前記透析液容量の総計の残りの部分を前記追加のサイクルを含む残りのサイクルの数で割ったものに等しい、請求項１に記載の腹膜透析療法を行うためのシステム。
【請求項８】
前記制御ユニットは、最小排出率を、低減された充填量に１サイクル当たりの期待限外濾過容量を加えた容量を前記最大腹膜容量で割ったものに変化させるようにさらに構成される、請求項７に記載の腹膜透析療法を行うためのシステム。
【請求項９】
前記制御ユニットは、必要であれば、（ｉｉｉ）を複数回行うように構成される、請求項１に記載の腹膜透析療法を行うためのシステム。
【請求項１０】
（ｉｉｉ）における前記制御ユニットは、（ａ）残りの前記充填段階の各々の前記透析液容量の量を第１の量まで低減することであって、該第１の量は、前記透析液容量の総計の第１の残りの部分を第１の追加されたサイクルを含む残りのサイクルの数で割ったものに等しい、ことと、必要であれば、（ｂ）該残りの充填段階の各々の該透析液容量の量を第２の量まで低減することであって、該第２の量は、該透析液容量の総計の第２の残りの部分を第２の追加されたサイクルを含む残りのサイクルの数で割ったものに等しい、こととを行うように構成される、請求項１に記載の腹膜透析療法を行うためのシステム。
【請求項１１】
前記制御ユニットは、（ｃ）最小排出率を第１回目に（ａ）において前記第１の量に期待限外濾過容量を加えた第１の容量を前記最大腹膜容量で割ったものに変化させることと、（ｄ）該最小排出率を２回目に（ｂ）において前記第２の量に期待限外濾過容量を加えた第２の容量を該最大腹膜容量で割ったものに変化させることとを行うようにさらに構成される、請求項１０に記載の腹膜透析療法を行うためのシステム。
【請求項１２】
（ｃ）における前記期待限外濾過容量は、低減された前記第２の量とは異なる低減された前記第１の量に起因して、（ｄ）における該期待限外濾過容量とは異なる、請求項１１に記載の腹膜透析療法を行うためのシステム。
【請求項１３】
前記制御ユニットは、前記次のサイクルにおける前記停留段階の持続時間を短縮するようにさらに構成される、請求項１に記載の腹膜透析療法を行うためのシステム。
【請求項１４】
前記制御ユニットは、タイダル透析療法とは対照的な持続性の周期的腹膜透析療法を行うユーザ選択に基づいて（ｉ）、（ｉｉ）、および（ｉｉｉ）を行うようにさらに構成される、請求項１に記載の腹膜透析療法を行うためのシステム。
【請求項１５】
前記制御ユニットは、最初に処方された腹膜透析療法を修正するユーザ選択に基づいて、（ｉｉｉ）を行うように、または（ｉｉｉ）を自動的に行うように構成される、請求項１に記載の腹膜透析療法を行うためのシステム。
【請求項１６】
腹膜透析療法を行うためのシステムであって、
該システムは、
少なくとも１つの透析液ポンプと、
制御ユニットと
を備え、
該制御ユニットは、複数の腹膜透析サイクルを行うように該少なくとも１つの透析液ポンプとともに動作可能であり、該腹膜透析サイクルは、充填段階、停留段階、および排出段階を含み、該制御ユニットは、
（ｉ）処方通りの該充填段階の透析液容量の総計が患者に送達されることを確実にすることと、
（ｉｉ）該排出段階のうちの１つの後に最小排出率が達成されることができない場合に、（ｉ）が満たされるように、次のサイクルの該充填段階の該透析液容量の量を低減し、付加的なサイクルを該腹膜透析療法に追加することと
を行うように構成される、システム。
【請求項１７】
（ｉｉ）における前記制御ユニットは、残りの前記充填段階の各々に対する前記透析液容量の量を低減するように構成される、請求項１６に記載の腹膜透析療法を行うためのシステム。
【請求項１８】
（ｉｉ）における前記制御ユニットは、前記残りの充填段階の各々に対する前記透析液容量の量をある量まで低減するように構成され、該ある量は、該透析液容量の総計の残りの部分を前記追加されたサイクルを含む残りのサイクルの数で割ったものに等しい、請求項１７に記載の腹膜透析療法を行うためのシステム。
【請求項１９】
前記制御ユニットは、最小排出率を、低減された充填量に限外濾過の期待量を加えた結果を最大腹膜容量で割ったものに変化させるようにさらに構成される、請求項１６に記載の腹膜透析療法を行うためのシステム。
【請求項２０】
前記制御ユニットは、前記次のサイクルでの前記停留段階の持続時間を短縮するようにさらに構成される、請求項１６に記載の腹膜透析療法を行うためのシステム。
【請求項２１】
前記制御ユニットは、タイダル透析療法とは対照的な持続性の周期的腹膜透析療法を行うユーザ選択に基づいて（ｉ）および（ｉｉ）を行うようにさらに構成される、請求項１６に記載の腹膜透析療法を行うためのシステム。
【請求項２２】
前記制御ユニットは、最初に処方された腹膜透析療法を修正するユーザ選択に基づいて（ｉｉ）を行うように、または臨床医によって事前構成される設定に基づいて自動的に（ｉｉ）を行うように構成される、請求項１６に記載の腹膜透析療法を行うためのシステム。
【請求項２３】
腹膜透析を行うためのシステムであって、
該システムは、
少なくとも１つの透析液ポンプと、
制御ユニットと
を備え、
該制御ユニットは、該少なくとも１つの透析液ポンプとともに複数の腹膜透析サイクルを行うように動作可能であり、該腹膜透析サイクルは、充填段階、停留段階、および排出段階を含み、該制御ユニットは、
（ｉ）各サイクルの該停留段階の終了時に、最大腹膜容量が超過されないことを確実にすることと、
（ｉｉ）該サイクルの該充填段階にわたって全処方透析液容量が患者に送達されることを確実にすることと、
（ｉｉｉ）各排出段階を監視して、最小排出容量が満たされることを確実にし、そうでなければ、（ｉ）に従うよう後続の充填段階を短縮し、（ｉｉ）に従うようサイクルを追加することと
を行うように構成される、システム。
【請求項２４】
前記サイクルの全体に対する全処方時間を含み、前記制御ユニットは、サイクルが（ｉｉｉ）において追加される場合、少なくとも１つの後続の停留段階の持続時間を減少させるようにさらに構成される、請求項２３に記載の腹膜透析療法を行うためのシステム。
【請求項２５】
前記制御ユニットは、タイダル透析療法とは対照的な持続性の周期的腹膜透析療法を行う初期ユーザ選択に基づいて（ｉ）、（ｉｉ）、および（ｉｉｉ）を行うようにさらに構成される、請求項２３に記載の腹膜透析療法を行うためのシステム。
【請求項２６】
前記制御ユニットは、最初に処方された腹膜透析療法を修正するユーザ選択に基づいて（ｉｉｉ）を行うように構成される、請求項２３に記載の腹膜透析療法を行うためのシステム。
【請求項２７】
前記最小排出容量は、前記最大腹膜容量から、充填段階容量に１サイクル当たりの期待限外濾過液容量を加えたものを減じたものである、請求項２３に記載の腹膜透析療法を行うためのシステム。